(57)【要約】      （修正有）【課題】磁石の紛失防止に十分な吸着力の基にマーカーホルダーの表面に傷を付ける恐れが少ないマーカーを提供する。【解決手段】マーカー１は、金属製のマーカー本体３と、前記マーカー本体３の、マーカーホルダー表面と対向する裏面４に埋設された磁性体とを備え、前記マーカー本体周縁の裏側コーナー部に丸みを持たせ、前記マーカー本体３の表面２は漆芸装飾部を有するものとした。【選択図】図１
0003166464.tif 000002
【実用新案登録請求の範囲】
【請求項１】
金属製のマーカー本体と、
前記マーカー本体の、マーカーホルダー表面と対向する裏面に埋設された磁性体とを備え、
前記マーカー本体周縁の裏側コーナー部に丸みを持たせ、前記マーカー本体の表面は漆芸装飾部を有するマーカー。
【請求項２】
金属製のマーカー本体と、
前記マーカー本体の、マーカーホルダー表面と対向する裏面に形成された凹部内に埋設された磁性体とを備え、
前記マーカー本体周縁の裏側コーナー部に丸みを持たせると共に、
前記マーカー本体の前記凹部の開口縁のコーナー部またはおよび前記磁性体の露出端周縁のコーナー部に丸みを持たせたマーカー。
【請求項３】
請求項１または２に記載のマーカーと、
前記マーカーを磁気吸着する、クリップ構造を有したマーカーホルダーとを備え、
前記マーカー本体の表面は、前記マーカーホルダー表面と対をなして、漆芸装飾を施した漆芸装飾部を有し、その表面に樹脂保護層を設けたものとしたゴルフマーカー。
【考案の詳細な説明】
【技術分野】
【０００１】
本考案は、ゴルフ競技において、グリーン上でボールに代わってその位置をマークするマーカーとこれを用いたいわゆるゴルフマーカーに関する。
【背景技術】
【０００２】
このようなマーカーとして、プラスチック製や金属製の、円板状（コイン状）のものが多用されている。これの携行は、簡易な取扱いや競技を迅速に進行させる為に、ゴルフプレーヤーの衣服のポケット等に、ティー等他の小物品と共に入れて持ち歩くこともされる。しかし、マーカーは比較的小型のもので紛失しやすい上に、必要な時に衣服のポケット等から他の物と区別して即座に取り出しにくいという面がある。
【０００３】
一方、裏面に磁石を貼付又は埋設し、ゴルフプレーヤーの衣服や帽子にクリップ方式に装着した磁性体製のマーカーホルダー等に対して、磁気的に吸着保持するようにしたマーカーが古くから提案され、広く利用されている（例えば下記特許文献１〜２参照）。
【０００４】
特許文献１は、マーカーの裏面にマグネットシートが接着され、このマグネットシートが鉄板からなるマーカーホルダーに磁気吸着されることにより、マーカーがマーカーホルダーに着脱できるように保持されるゴルフマーカーを開示している。マーカーホルダーは、その全体がＵ字状に折り曲げられたクリップタイプの鉄板からなり、プレーヤーの衣服や帽子等に挟み付け着脱できるように装着される。
【０００５】
特許文献２は、グリーンフォークを設けたマーカーとマーカーホルダーとの少なくとも一方に磁石を埋設し、磁気吸着によってマーカーをマーカーホルダーに保持するゴルフマーカーを開示している。マーカーホルダーは裏面側に設けられたクリップ片との間で、プレーヤーの衣服や帽子等に挟み付け着脱できるように装着される。
【先行技術文献】
【特許文献】
【０００６】
【特許文献１】実開昭６２−１３０６７５号
【特許文献２】特開２００８−２６４１２７号
【考案の概要】
【考案が解決しようとする課題】
【０００７】
ところで、特許文献１、２が開示するマーカーは、プレーヤーの衣服や帽子等の外装物に装着されるマーカーホルダーに磁気吸着されるので、使いやすく紛失しにくい。しかしながら、プレー中の激しい動きやカートによる上り下りを伴う移動などに際し、不用意に脱落しないためには比較的強い吸着力が望まれる。この吸着力の強さは高価なマーカー程必須要件になる。一方、磁気吸着は、吸着面間方向には特に強く、扁平なマーカーは特に周方向に一挙に剥がすのは無理である。
【０００８】
そこで、周縁がマーカーホルダーからはみ出す関係としておき、そのはみ出し部に指先を掛け、この掛けた側から引き剥がすことが一般化している中、装飾性の無い裏側の周縁コーナーエッジの反引き離し側でマーカーホルダーの表面に傷が付く問題がある。マーカーホルダーの表面に高価な装飾が施されている程問題であり、無造作な引き剥がしでは早期に価値が低下する。
【０００９】
上述の問題に鑑みて、本考案は、紛失防止に十分な吸着力を有する磁石を利用していても、マーカーホルダーの表面に傷を付ける恐れが少ないマーカーを提供することを目的とする。
【課題を解決するための手段】
【００１０】
上記目的を達成するために、本考案に係るマーカーは、金属製のマーカー本体と、このマーカー本体の、マーカーホルダー表面と対向する裏面に埋設された磁性体とを備えたマーカーであって、マーカー本体周縁の裏側コーナー部に丸みを持たせ、前記マーカー本体の表面は漆芸装飾部を有することを特徴とする。
【００１１】
このような構成では、マーカーホルダーの表面が長寿命な金属製のマーカー本体よりも軟質材料、例えば樹脂の装飾層や保護層であっても、マーカーホルダーへの接合吸着によってはもとより、片側からの引き剥がし時に裏側コーナー部が擦れても丸みを持っていることにより傷を付けるのが防止される。無造作に離せて使用上苦にならず、迅速なプレーに貢献できる。マーカーホルダーの損傷を長期に防止できて、傷つきやすい高価なものに好適である。
【００１２】
上記においてさらに、マーカー本体の磁性体の埋設凹部の開口縁のコーナー部またはおよび磁性体の露出端周縁のコーナー部に丸みを持たせたものとすることができる。このような構成では、上記に加え、さらに、マーカーホルダーの表面が周辺から中央部に向かって盛り上がるドーム形態のボリュームアップ処理が施されていて、マーカー本体の磁性体埋設域に接面して、埋設凹部の開口縁またはおよび磁性体の露出端周縁のコーナー部と擦れることがあっても、傷が付くのを防止できる。
【００１３】
このような構成では、ボリュームアップ処理によるマーカーホルダーの外観改善や、マーカー本体のマーカーホルダー表面からの片側からの引き剥がし時の起き上がりを容易にする操作性向上に対応できる。
【００１４】
本考案はまた、上記いずれかのマーカーと、このマーカーを磁気吸着するクリップ構造を有したマーカーホルダーとを備え、マーカー本体の表面は、マーカーホルダー表面と対をなして、漆芸装飾を施した漆芸装飾部を有し、その表面に樹脂保護層を設けたものとしたことを特徴としている。
【００１５】
このような構成では、上記に加え、さらに、マーカー本体の表面は、漆芸による商品装飾と、これを保護する透明な樹脂層によって形成されて、同様の装飾が施されたマーカーホルダーと対をなし、かつマーカーホルダーの装飾表面に傷を付けるのを防止できる。マーカー本体はマーカーホルダーと対をなして装飾価値を一層高められ、しかもマーカーホルダーの装飾性を長期に維持できる。
【考案の効果】
【００１６】
本考案によると、磁石の紛失防止に十分な吸着力の基にマーカーホルダーの表面に傷を付ける恐れが少ないマーカーを提供できる。
【図面の簡単な説明】
【００１７】
【図１】本考案に係るゴルフマーカーのマーカー及びマーカーホルダーを示す斜視図である。
【図２】図１のマーカーのマーカーホルダーに吸着される面を示す斜視図である。
【図３】図１のマーカーの要部断面図である。
【図４】図１のマーカーホルダーのクリップ構造が設けられた面を示す斜視図である。
【図５】図１のマーカーがマーカーホルダーに吸着された状態を示す縦断面図である。
【考案を実施するための形態】
【００１８】
図１〜図５を参照して、本考案の実施の形態に係るゴルフマーカーについて説明する。図１に示すように、ゴルフマーカー１００は、マーカー１とマーカーホルダー１０とを備える。マーカー１は円板状（コイン状）の形態を有し、後述する磁性体によってマーカーホルダー１０の表面１１に吸着保持される。マーカーホルダー１０は、それ自身をプレーヤーの帽子や衣服等に挟み付け着脱できるように装着するためのクリップ構造１２を備える。
【００１９】
マーカー１は、図２、図３に示すように、金属製のマーカー本体３と、このマーカー本体３の、マーカーホルダー１０の表面１１と対向する裏面４に埋設された磁性体５とを備える。マーカー本体３の表面２は、グリーン上に置かれた時、ボールに代わってその位置をマークするために視認される表面である。本実施の形態において、表面２は漆芸装飾部を有する。漆芸装飾部とは、マーカー１の表面に施されたデザインの部分を指し、漆や塗料を塗った器物に漆や蒔絵塗料を使って装飾を施してある。装飾の具体例として、漆や蒔絵塗料で描いた模様の上に金粉、銀粉等を蒔きつける蒔絵、板状に切った貝を貼り付ける螺鈿、金箔の貼り付け等が挙げられる。漆芸装飾部は、マーカー１の表面２に直接設けても、漆芸装飾を施した基板等を表面２に貼り付けることによって設けてもよい。
【００２０】
磁性体５は、裏面４の中央部に形成された凹部２０内に埋設されている。本実施の形態において、磁性体５は磁石であり、その露出端面は裏面４よりもわずかに突出している。図３に示すように、マーカー本体３周縁の裏側コーナー部２１は丸みを持たせられている。
【００２１】
図３を参照して、マーカー１の構造について説明する。本実施の形態において、マーカー本体３の表面２は、ＰＥＴ等からなる樹脂チップ６を埋設し、その表面に樹脂保護層７を設けたものとして構成される。樹脂チップ６の表面は漆芸装飾部を有し、記念品や広告等、用途によって文字、絵、図案、図柄で代表される装飾が施されている。本実施の形態においては、漆や塗料を塗った下地処理後に蒔絵による装飾を施してある。
【００２２】
樹脂チップ６の表面は、樹脂保護層７によって覆われ、保護されるのが好ましい。樹脂チップ６の表面に装飾を施した場合は、樹脂保護層７を通してその装飾を視認させる必要があるため、樹脂保護層７の素材は透明性を優先して選択される。本実施の形態においては、樹脂保護層７はエポキシ樹脂からなる。
【００２３】
本実施の形態においては磁性体５の露出端は裏面４よりもわずかに突出しているが、これに限られない。磁性体５の露出端が裏面４と略面一であってもよく、あるいは磁性体５の露出端が裏面４よりも凹んでいてもよい。
【００２４】
図４、図５を参照してマーカーホルダー１０の構造について説明する。マーカーホルダー１０は上述したように、マーカー１を吸着保持する表面１１と、クリップ構造１２とを備える。表面１１は磁性体からなり、本実施の形態においては鉄製である。本実施の形態において、表面１１は漆芸装飾部を有する。漆芸装飾部とは、マーカーホルダー１０の表面に施されたデザインの部分を指し、漆や塗料を塗った器物に漆や蒔絵塗料を使って装飾を施してある。装飾の具体例として、蒔絵、螺鈿、金箔の貼り付け等が挙げられる。漆芸装飾部は、マーカーホルダー１０の表面１１に直接設けても、漆芸装飾を施した基板等を表面１１に貼り付けることによって設けてもよい。
【００２５】
本実施の形態において、表面１１は、図５に示すように、ＰＥＴ等からなる樹脂チップ１３を埋設し、その表面に樹脂保護層１４を設けたものとして構成される。樹脂チップ１３の表面は漆芸装飾部を有し、記念品や広告等、用途によって文字、絵、図案、図柄で代表される装飾が施されている。本実施の形態においては、漆を塗った下地処理後に蒔絵による装飾を施してある。
【００２６】
樹脂チップ１３の表面は、樹脂保護層１４によって覆われ、保護される。樹脂保護層１４は、樹脂保護層７と同様にエポキシ樹脂からなる。図５に示すように、樹脂保護層１４にはボリュームアップ処理が施されており、周辺から中央部に向かって盛り上がるドーム形態をなしている。樹脂保護層１４のボリュームアップ処理により、マーカーホルダー１０の外観が向上する。
【００２７】
マーカー１の表面に施す装飾と、マーカーホルダー１０の表面に施す装飾とは、相互に関連する内容の図案であっても、別個の内容の図案であってもよい。相互に関連する内容の図案とした場合は、マーカー１をマーカーホルダー１０に吸着保持させた時の外観が一層向上する。
【００２８】
図４に、マーカーホルダー１０の、クリップ構造１２が設けられた面を示す。クリップ構造１２によってマーカーホルダー１０は、プレーヤーの帽子や衣服等に挟み付け着脱できるように装着される。なお、帽子や衣服等への装着手段は、クリップ構造に限られない。
【００２９】
図４に示すように、マーカー１はマーカーホルダー１０に吸着保持された状態で、その周縁がマーカーホルダー１０の表面１１からはみ出している。マーカー１をマーカーホルダー１０から取り外す際は、このはみ出し部に指先を掛け、この掛けた側から引き剥がすようにする。上述の通り、樹脂保護層１４は、周辺から中央部に向かって盛り上がるドーム形態をなしているため、マーカー本体３をマーカーホルダー１０の表面１１から引き剥がす時の起き上がりが容易になり、操作性が向上する。
【００３０】
引き剥がしの際、マーカー本体３の裏側コーナー部２１がマーカーホルダー１０の表面１１に擦れても、裏側コーナー部２１は丸みを持っているため、表面１１に傷が付くことが防止される。
【００３１】
さらに、マーカー本体３の凹部２０の開口縁のコーナー部２２またはおよび磁性体５の露出端周縁のコーナー部２３に丸みを持たせたものとすることが好ましい。このように構成すると、上記に加えて、マーカーホルダー１０の、ドーム形態をなした表面１１が、マーカー本体３の磁性体埋設域に接面して、凹部２０の開口縁またはおよび磁性体５の露出端周縁のコーナー部２３と擦れることがあっても、傷が付くのを防止できる。
【００３２】
さらに、上記のように構成すると、磁性体５の露出端が裏面４と略面一である場合や、磁性体５の露出端が裏面４よりも凹んでいる場合を含めて、凹部２０の開口縁またはおよび磁性体５の露出端周縁のコーナー部２３がマーカーホルダー１０の表面１１に擦れることがあっても、表面１１に傷が付くのを防止できる。
【００３３】
本実施の形態において、マーカー１をマーカーホルダー１０に吸着保持させる磁性体５は、マーカー１に埋設される構成としたが、これに限られない。例えば、マーカーホルダー１０の表面１１に磁性体５を設け、マーカー１の裏面４を磁性体で構成してもよい。あるいは、マーカーホルダー１０の表面１１とマーカー１の裏面４との双方に、磁石である磁性体を設けてもよい。
【００３４】
また、本実施の形態において、マーカー１の表面２と、マーカーホルダー１０の表面１１とには、漆および塗料を塗って箔を貼る下地処理後に蒔絵による装飾を施した漆器としたが、蒔絵調の模様を有するシートやフィルム等を貼り付けることによって装飾を施してもよい。また、他の方法で装飾を施してもよい。
【産業上の利用可能性】
【００３５】
本考案は、磁石の紛失防止に十分な吸着力の基にマーカーホルダーの表面に傷を付ける恐れが少ないマーカーの作製に利用することができる。
【符号の説明】
【００３６】
１  マーカー
２、１１  表面
３  マーカー本体
４  裏面
５  磁性体
６、１３  樹脂チップ
７、１４  樹脂保護層
１０  マーカーホルダー
１２  クリップ構造
２０  凹部
２１  マーカー本体の裏側コーナー部
２２  凹部の開口縁のコーナー部
２３  磁性体の露出端周縁のコーナー部
１００  ゴルフマーカー
【図１】
0003166464.tif 000003
【図２】
0003166464.tif 000004
【図３】
0003166464.tif 000005
【図４】
0003166464.tif 000006
【図５】
0003166464.tif 000007